(57)【要約】【課題】  太さが異なる複数のケーブルを取り付け可能な、ゴムブッシュを用いたケーブル固定構造を実現する。【解決手段】  本発明によるゴムブッシュは、ケーブルを挿通するための穴が形成された中空円柱形状を有し、外周面がテーパ形状による円錐台形状部分と、該テーパ形状に連なる円柱形状部分から構成され、階段状の切れ目を有する。【選択図】  図４
2017167187.tif 000002
【特許請求の範囲】
【請求項１】
ケーブルを挿通するための穴が形成された中空円柱形状を有し、外周面がテーパ形状による円錐台形状部分と、該テーパ形状に連なる円柱形状部分から構成され、階段状の切れ目を有するゴムブッシュ。
【請求項２】
ケーブルを挿通するための第１の穴が形成された中空円柱形状を有し、外周面がテーパ形状による円錐台形状部分と、該テーパ形状に連なる円柱形状部分から構成され、階段状の切れ目を有するゴムブッシュと、
前記ゴムブッシュが挿入される開放端と、前記ゴムブッシュが前記円柱形状部分側から挿入されたときに前記円柱形状部分の円周面に当接する側面部と前記円柱形状部分の底部を支える平坦部分とを備えた壁面部と、前記壁面部と前記開放端に向けて径が拡がるように形成されたテーパ面と、を有し、パネルに取り付けられるブラケットと、
前記ケーブルを挿通するための第２の穴が設けられ、前記ブラケットと螺合するナットと、を備え、
前記第１および第２の穴にケーブルを挿通した状態で前記ゴムブッシュを前記ブラケットに挿入し、前記ブラケットと前記ナットを螺合させるケーブル固定構造。
【請求項３】
請求項２記載のケーブル固定構造において、
前記テーパ面は、前記第１の穴の径よりも大きな径のケーブルが前記第１の穴に挿通されて外形が拡げられた前記ゴムブッシュが前記円錐台形状部分の側から前記ブラケットに挿入されたときに、前記円錐台形状部分のテーパ形状に密接するケーブル固定構造。
【請求項４】
ケーブルを挿通するための第１の穴が形成された中空円柱形状を有し、外周面がテーパ形状による円錐台形状部分と、該テーパ形状に連なる円柱形状部分から構成され、階段状の切れ目を有するゴムブッシュと、
前記ゴムブッシュが挿入される開放端と、前記ゴムブッシュが前記円柱形状部分側から挿入されたときに前記円柱形状部分の円周面に当接する側面部と前記円柱形状部分の底部を支える平坦部分とを備えた壁面部と、前記壁面部と前記開放端に向けて径が拡がるように形成されたテーパ面と、を有し、パネルに取り付けられるブラケットと、
前記ケーブルを挿通するための第２の穴が設けられ、前記ブラケットと螺合するナットと、とを用いたケーブル固定方法であって、
前記第１および第２の穴にケーブルを挿通した状態で前記ゴムブッシュを前記ブラケットに挿入し、前記ブラケットと前記ナットを螺合させるケーブル固定方法。
【発明の詳細な説明】
【技術分野】
【０００１】
本発明は、ゴムブッシュ、ゴムブッシュを用いたケーブル固定構造および方法に関する。
【背景技術】
【０００２】
プロジェクタの一つの形態として、特許文献１（再表２０１３／１３６５１７号公報）に開示されるような、赤、緑、青などの色のレーザー光を光ファイバケーブルより出力するレーザー光源からの各色のレーザー光を、光ファイバケーブルを介してプロジェクタ内に取り込み、照明光として利用するものがある。
【０００３】
各色の光を伝送する光ファイバケーブルの太さ（直径）は、部品の共通化を考慮し、色に関係なく同じ太さとされていた。
【０００４】
しかし、光ファイバケーブルをプロジェクタに取り付ける作業を実行する際に、取り付ける光ファイバケーブルが何色の光を伝送するものであるかを見分けることが出来ないことから、間違って取付けてしまう危険性がある。
【先行技術文献】
【特許文献】
【０００５】
【特許文献１】再表２０１３／１３６５１７号公報
【発明の概要】
【発明が解決しようとする課題】
【０００６】
上記のように、光ファイバケーブルが何色の光を伝送するものであるかを確認しやすくするためには、伝送する色ごとに光ファイバケーブルの太さを異ならせることも有効となる。太さを異ならせることは、例えば、伝送する電流の大きさが異なるなど、用途が異なるケーブルの場合にも当然ながら有効となる。
【０００７】
太さが異なるケーブルをプロジェクタなどの機器に取り付ける際、ケーブルを固定するためには、ブラケットやナットについては共通部品を使用することが出来るが、ブッシュの部分については各ケーブルの直径に合わせた大きさのものを使用しなければならず、ケーブルの太さに応じたブッシュが必要となる。ブッシュの種類が増えると、その分だけブッシュを製造するために必要となる金型の費用がかさみ、部品の製造コストが高くなってしまう。
【０００８】
本発明は、太さが異なる複数のケーブルを取り付け可能な、ゴムブッシュを用いたケーブル固定構造を実現する。
【課題を解決するための手段】
【０００９】
本発明によるゴムブッシュは、ケーブルを挿通するための穴が形成された中空円柱形状を有し、外周面がテーパ形状による円錐台形状部分と、該テーパ形状に連なる円柱形状部分から構成され、階段状の切れ目を有する。
【００１０】
本発明によるケーブル固定構造は、ケーブルを挿通するための第１の穴が形成された中空円柱形状を有し、外周面がテーパ形状による円錐台形状部分と、該テーパ形状に連なる円柱形状部分から構成され、階段状の切れ目を有するゴムブッシュと、
前記ゴムブッシュが挿入される開放端と、前記ゴムブッシュが前記円柱形状部分側から挿入されたときに前記円柱形状部分の円周面に当接する側面部と前記円柱形状部分の底部を支える平坦部分とを備えた壁面部と、前記壁面部と前記開放端に向けて径が拡がるように形成されたテーパ面と、を有し、パネルに取り付けられるブラケットと、
前記ケーブルを挿通するための第２の穴が設けられ、前記ブラケットと螺合するナットと、を備え、
前記第１および第２の穴にケーブルを挿通した状態で前記ゴムブッシュを前記ブラケットに挿入し、前記ブラケットと前記ナットを螺合させる。
【００１１】
本発明によるケーブル固定方法は、ケーブルを挿通するための第１の穴が形成された中空円柱形状を有し、外周面がテーパ形状による円錐台形状部分と、該テーパ形状に連なる円柱形状部分から構成され、階段状の切れ目を有するゴムブッシュと、
前記ゴムブッシュが挿入される開放端と、前記ゴムブッシュが前記円柱形状部分側から挿入されたときに前記円柱形状部分の円周面に当接する側面部と前記円柱形状部分の底部を支える平坦部分とを備えた壁面部と、前記壁面部と前記開放端に向けて径が拡がるように形成されたテーパ面と、を有し、パネルに取り付けられるブラケットと、
前記ケーブルを挿通するための第２の穴が設けられ、前記ブラケットと螺合するナットと、とを用いたケーブル固定方法であって、
前記第１および第２の穴にケーブルを挿通した状態で前記ゴムブッシュを前記ブラケットに挿入し、前記ブラケットと前記ナットを螺合させる。
【発明の効果】
【００１２】
上記の構成を備える本発明においては、太さが異なる複数のケーブルを取り付けることが可能となる。
【図面の簡単な説明】
【００１３】
【図１】本発明によるケーブル固定構造に用いられるゴムブッシュの一実施形態の構成を示す斜視図である。
【図２】プロジェクタのパネル４に設けられたブラケット５に、太さの異なる光ファイバケーブル６，７を固定する状態を示す斜視図である。
【図３】ゴムブッシュ１の内径よりも太い光ファイバケーブル６をゴムブッシュ１に嵌め込んだ状態を示す斜視図である。
【図４】光ファイバケーブルの固定状態を詳細に示す図であり、（ａ）は、パネル４に光ファイバケーブル６、７が取り付けられた状態を示す正面図、（ｂ）、（ｃ）は、（ａ）中のＡ−Ａ線断面、Ｂ−Ｂ線断面をそれぞれ示す断面図、（ｄ）、（ｅ）は、（ｂ）、（ｃ）中の一点鎖線で囲んだ嵌合部を拡大して示す断面図である。
【発明を実施するための形態】
【００１４】
次に、本発明の実施形態について図面を参照して説明する。
【００１５】
図１は、本発明によるケーブル固定構造に用いられるゴムブッシュの一実施形態の構成を示す斜視図である。
【００１６】
図１に示されるゴムブッシュ１は、ケーブルを挿通するための穴１２が形成された中空円柱形状のもので、外周面がテーパ形状３による円錐台形状部分と該テーパ形状３に連なる円柱形状部分１１から構成され、階段状の切れ目２が設けられている。
【００１７】
図２は、プロジェクタのパネル４に設けられたブラケット５に、太さの異なる光ファイバケーブル６，７を固定する状態を示す斜視図である。
【００１８】
ブラケット５の開放端には、ゴムブッシュ１の円柱形状部分１１の円周面に当接する側面部と円柱形状部分１１の底部を支える平坦部分とを備える壁面部１０と、壁面部１０から開放端部に向けて径が拡がるように形成されたテーパ面９が設けられている。光ファイバケーブルを挿通させるための穴が設けられたナット８、ブラケット５の双方にはねじが設けられており、ナット８の穴に光ファイバケーブルを挿通した状態でゴムブッシュ１の穴１２に光ファイバケーブルを挿通させ、ブラケット５にナット８を螺合させることにより光ファイバケーブルがパネル４に固定される。
【００１９】
ゴムブッシュ１に形成される穴１２の径（内径）は、光ファイバケーブル７の径とほぼ同じ大きさとされ、光ファイバケーブル６は光ファイバケーブル７よりも大きな径を有している。
【００２０】
ゴムブッシュ１の内径よりも太い光ファイバケーブル６をゴムブッシュ１に嵌め込んだ場合、図３に示すようにゴムブッシュ１が拡がることとなるが、ゴムブッシュ１の階段状の切れ目２が拡がることによって、矢視Ａ方向から見た時には切れ目２の段幅の分だけパネル４方向が見えないものとなり、光漏れが発生しないものとなっている。
【００２１】
図４は、光ファイバケーブルの固定状態を詳細に示す図であり、以下、図１ないし図３とともに図４を参照して本実施形態による光ファイバケーブルの固定方法について説明する。
【００２２】
図４（ａ）は、パネル４に光ファイバケーブル６、７が取り付けられた状態を示す正面図、図４（ｂ）、（ｃ）は、図４（ａ）中のＡ−Ａ線断面、Ｂ−Ｂ線断面をそれぞれ示す断面図、図４（ｄ）、（ｅ）は、図４（ｂ）、（ｃ）中の一点鎖線で囲んだ嵌合部を拡大して示す断面図である。
【００２３】
図４（ａ）〜（ｃ）に示されるように、パネル４に設けられた２つのブラケット５に、光ファイバケーブル６，７が固定されている。光ファイバケーブル６は図４（ａ）中の左側のブラケット５に取り付けられ、光ファイバケーブル７は図４（ａ）中の右側のブラケット５に取り付けられている。
【００２４】
ゴムブッシュ１は、光ファイバケーブル６を固定するときと、光ファイバケーブル７を固定するときとでテーパ形状３の向きが異なるものとされる。
【００２５】
図３に示したようにゴムブッシュ１の切れ目２が拡がった状態となる光ファイバケーブル６を固定する場合には、図４（ｄ）に示すようにゴムブッシュ１はテーパ形状３の細い端部の側からブラケット５に挿入される。テーパ形状３とブラケット５に設けられたテーパ面９は、図４（ｄ）に示される挿入時に密接する形状とされている。ブラケット５とナット８のそれぞれには、ねじが設けられており、ナット８を締め込んでこれらに設けられたねじを螺合させることにより光ファイバケーブル６がパネル４に固定される。
【００２６】
光ファイバケーブル６よりも径の小さな光ファイバケーブル７を取り付ける場合、コムブッシュ１は切れ目２が拡げられることはなく、図１に示したような形状となる。このため、ゴムブッシュ１の外径は図３に示した状態よりも小さなものとなる。このため、図４（ｄ）に示したように、テーパ形状３の細い端部の側からゴムブッシュ１をブラケット５に挿入すると、テーパ形状３とブラケット５に設けられたテーパ面９は密接しないこととなり、光ファイバケーブル７を固定することができない。このため、光ファイバケーブル７を取り付ける場合には、図４（ｅ）に示すように、円柱状部分１１が設けられた側からゴムブッシュ１をブラケット５に挿入する。
【００２７】
ブラケット５に設けられた壁面部１０は、ゴムブッシュ１の円柱形状部分１１の円周面に当接する側面部１０ａと円柱形状部分１１の底部を支える平坦部分１０ｂとを備えており、ナット８を締め込んでこれらに設けられたねじを螺合させることにより光ファイバケーブル７がパネル４に固定される。
【００２８】
上記のように、本実施形態では、１種類のゴムブッシュ、ブラケット、ナットの組合せで直径の異なる２種類の光ファイバケーブルを光漏れ防止を兼ねた状態で固定することができる。
【００２９】
また、基本形状としては２つの直径のケーブルに対応可となるが、ゴムブッシュでは、ゴムの弾性変形を利用することができ、上記の２つの直径が多少変化したケーブルに対しても同様に固定することが可能となる。
【００３０】
以上説明した各実施形態において、図示した構成は単なる一例であって、本発明はその構成に限定されるものではない。
【００３１】
上記の実施形態の一部又は全部は、以下のようにも記載されうるが、以下の構成には限られない。
（付記１）  ケーブルを挿通するための穴が形成された中空円柱形状を有し、外周面がテーパ形状による円錐台形状部分と、該テーパ形状に連なる円柱形状部分から構成され、階段状の切れ目を有するゴムブッシュ。
（付記２）  ケーブルを挿通するための第１の穴が形成された中空円柱形状を有し、外周面がテーパ形状による円錐台形状部分と、該テーパ形状に連なる円柱形状部分から構成され、階段状の切れ目を有するゴムブッシュと、
前記ゴムブッシュが挿入される開放端と、前記ゴムブッシュが前記円柱形状部分側から挿入されたときに前記円柱形状部分の円周面に当接する側面部と前記円柱形状部分の底部を支える平坦部分とを備えた壁面部と、前記壁面部と前記開放端に向けて径が拡がるように形成されたテーパ面と、を有し、パネルに取り付けられるブラケットと、
前記ケーブルを挿通するための第２の穴が設けられ、前記ブラケットと螺合するナットと、を備え、
前記第１および第２の穴にケーブルを挿通した状態で前記ゴムブッシュを前記ブラケットに挿入し、前記ブラケットと前記ナットを螺合させるケーブル固定構造。
（付記３）  付記２記載のケーブル固定構造において、
前記テーパ面は、前記第１の穴の径よりも大きな径のケーブルが前記第１の穴に挿通されて外形が拡げられた前記ゴムブッシュが前記円錐台形状部分の側から前記ブラケットに挿入されたときに、前記円錐台形状部分のテーパ形状に密接するケーブル固定構造。
（付記４）  ケーブルを挿通するための第１の穴が形成された中空円柱形状を有し、外周面がテーパ形状による円錐台形状部分と、該テーパ形状に連なる円柱形状部分から構成され、階段状の切れ目を有するゴムブッシュと、
前記ゴムブッシュが挿入される開放端と、前記ゴムブッシュが前記円柱形状部分側から挿入されたときに前記円柱形状部分の円周面に当接する側面部と前記円柱形状部分の底部を支える平坦部分とを備えた壁面部と、前記壁面部と前記開放端に向けて径が拡がるように形成されたテーパ面と、を有し、パネルに取り付けられるブラケットと、
前記ケーブルを挿通するための第２の穴が設けられ、前記ブラケットと螺合するナットと、とを用いたケーブル固定方法であって、
前記第１および第２の穴にケーブルを挿通した状態で前記ゴムブッシュを前記ブラケットに挿入し、前記ブラケットと前記ナットを螺合させるケーブル固定方法。
【符号の説明】
【００３２】
１    ゴムブッシュ
２    切れ目
３    テーパ形状
４    パネル
５    ブラケット
６，７    光ファイバケーブル
８    ナット
９    テーパ面
１０    壁面部
１１    円柱状部分
１２    穴
【図１】
2017167187.tif 000003
【図２】
2017167187.tif 000004
【図３】
2017167187.tif 000005
【図４】
2017167187.tif 000006